(57)【特許請求の範囲】
【請求項１】
装飾体が投入される投入部と、前記投入部に投入された装飾体を排出させると共に、排出される装飾体が挿入されるチューブを取付ける排出部と、前記装飾体に振動を与える振動部を備えた装身具の組立装置。
【請求項２】
前記振動部は前記投入部を変位させることを特徴とする請求項１の組立装置。
【請求項３】
前記投入部は、前記排出部に連続する筒部と、この筒部の開口に向かって傾斜する傾斜面及びこの傾斜面の外周を囲む立面を設けた貯留部を備えていることを特徴とする請求項１の組立装置。
【請求項４】
前記貯留部の傾斜面には、前記開口に収束する螺旋状のガイド壁が形成されていることを特徴とする請求項３に記載の組立装置。
【請求項５】
前記貯留部の傾斜面には、前記ガイド壁の入口に向けて装飾体をガイドする溝が形成されていることを特徴とする請求項３又は請求項４に記載の組立装置。
【請求項６】
前記投入部に投入される装飾体の投入量を計量できる計量スプーンを設けたことを特徴とする請求項１から請求項５の何れかに記載の組立装置。
【請求項７】
請求項１に記載の組立装置を用いた装身具の組立方法であって、一端を閉鎖させたチューブの他端を前記排出部にセットし、前記振動部を操作してチューブに装飾体を挿入し、前記他端を排出口から外して閉鎖させ、チューブの両端を結合する装身具の組立方法。
【請求項８】
請求項６に記載の組立装置を用いた装身具の組立方法であって、一端を閉鎖させたチューブの他端を前記排出部にセットし、前記計量スプーンで計量した装飾体を投入部に投入すると共に前記振動部を操作してチューブに装飾体を挿入し、前記他端を排出口から外して閉鎖させ、チューブの両端を結合する装身具の組立方法。
【発明の詳細な説明】
【技術分野】
【０００１】
本発明は、チューブにビーズ等の装飾物が挿入されてなる装身具を組立てるための組立装置及びその装置により前記装身具を組立てる方法に関するものである。
【背景技術】
【０００２】
ビーズを用いてブレスレットを作る場合には、ビーズ等に糸を通して、その糸の両端を結んで環状にして装身具とするが、そのための製造装置として、「ビーズＢ通し器」が特許文献１に開示されている。
【０００３】
ビーズを用いて作られるブレスレットの他の例として、透明又は半透明のチューブに着色ビーズが挿入されてなる「ブレスレット」が、特許文献２に開示されている。
かかるブレスレットの組立方法については、同文献では「・・・チューブ内に・・・着色ビーズ・・・を挿入した後、これらを環状にし・・・接合したものである」（０００８）と記載されているものの、チューブに着色ビーズを挿入する具体的な装置や方法の記載は見当たらない。
また特許文献３には、透明なシリコンゴムで環状のブレスレットを作り、そのブレスレットの中に宝石類等を入れる「シリコンゴムのブレスレット」が記載されているが、この文献においても宝石類を環状のブレスレットに入れる具体的な装置や方法は記載されていない。
【０００４】
一般的には、チューブにビーズ等を挿入する方法として、チューブの一端に漏斗の先端を当てて、その漏斗の広口にビーズを入れて、チューブにビーズを流し込む方法が従来の方法であった。
【０００５】
以上のような従来の技術からは、次のような問題点を指摘することができる。
第１に、ビーズが漏斗に詰まってしまう場合があり、ビーズをチューブに挿入することが難しいこと、
第２に、チューブの一端に漏斗の先端を当てる場合、その先端からビーズがこぼれてしまう場合があり、ビーズをチューブに挿入することが難しいこと、
第３に、チューブに対し、その挿入するビーズの適量を判断することが難しいこと、
第４に、上述のような一般的な組立方法を上手にこなすには年齢的な下限があり、低学年等の子供には難しい場合があったこと、
第５に、上述の特許文献１に開示されている「ビーズＢ通し器」は、業務的な装置であったが、チューブにビーズ等が挿入されてなる「ブレスレット」の組立方法について、玩具的な要素や遊戯的な要素が含まれる新たな組立装置の出現が望まれていた。
【先行技術文献】
【特許文献】
【０００６】
【特許文献１】特許第４１４５３４９号公報
【特許文献２】実用新案登録第３０７４７９９号公報
【特許文献３】実用新案登録第３１２８２７４号公報
【発明の概要】
【発明が解決しようとする課題】
【０００７】
そこで、本発明は、次のような課題を解決することとする。
（１）  ビーズ等をチューブに挿入する場合に、ビーズ等が詰まり難く、こぼれ難い組立装置を提供すること、
（２）  チューブに対し、その挿入するビーズ等の適量を容易に判断することができる組立装置を提供すること、
（３）  装身具の組立に伴う年齢的な下限を更に下げることを目指し、装身具を容易に組み立てることができる組立装置を提供すること、
（４）  チューブにビーズ等が挿入されてなる「ブレスレット」の組立装置について、玩具的な要素や遊戯的な要素が含まれる新たな装置を提供すること、
（５）  これらの組立装置を用いることにより、装身具を組み立てる場合に、ビーズ等が詰まり難く、ビーズ等の適量を容易に判断でき、幼児から大人まで装身具を容易に組み立てることができて、自分好みのブレスレットを楽しく作ることができる組立方法を提供すること、等である。
【課題を解決するための手段】
【０００８】
上記課題を解決するため、装飾体が投入される投入部と、前記投入部に投入された装飾体を排出させると共に、排出される装飾体が挿入されるチューブが取付けられる排出部と、前記装飾体に振動を与える振動部を備えた装身具の組立装置（以下、単に組立装置と称する）とした（請求項１の発明）。
【０００９】
上記組立装置において、前記振動部は前記投入部を変位させることを特徴とする（請求項２の発明）。
【００１０】
上記組立装置において、前記投入部は、前記排出部に連続する筒部と、この筒部の開口に向かって傾斜する傾斜面及びこの傾斜面の外周を囲む立面を設けた貯留部を備えていることを特徴とする組立装置とする（請求項３の発明）。
【００１１】
前記貯留部の傾斜面には、前記開口に収束する螺旋状のガイド壁が形成されていることを特徴とする（請求項４の発明）。
【００１２】
前記貯留部の傾斜面には、前記ガイド壁の入口に向けて装飾体をガイドする溝が形成されていることを特徴とする（請求項５の発明）。
【００１３】
上記投入部に投入される装飾体の投入量を計量できる計量スプーンを設けたことを特徴とする組立装置とした（請求項６の発明）。
【００１４】
上記組立装置を用いた装身具の組立方法であって、一端を閉鎖させたチューブの他端を前記排出部にセットし、前記振動部を操作してチューブに装飾体を挿入し、前記他端を排出口から外して閉鎖させ、チューブの両端を結合する装身具の組立方法とした（請求項７の発明）。
【００１５】
上記組立装置を用いた装身具の組立方法であって、一端を閉鎖させたチューブの他端を前記排出部にセットし、前記計量スプーンで計量した装飾体を投入部に投入すると共に前記振動部を操作してチューブに装飾体を挿入し、前記他端を排出口から外して閉鎖させ、チューブの両端を結合する装身具の組立方法とした（請求項８の発明）。
【発明の効果】
【００１６】
装飾体をチューブに挿入する場合に、前記振動部により装飾体の詰まりが解消される。
チューブに対し、前記計量スプーンにより、装飾体の適量を容易に判断することができる。
装飾体を投入部に投入して、振動部を操作し、チューブに装飾体を挿入する組立装置とすることで、装身具を容易に組み立てることができ、装身具の組立に伴う年齢的な下限を下げることができる。
投入部に投入する装飾体の種類、色、分量等を選択する過程、それらが振動部の操作によりチューブにスムースに流入する過程、そのチューブに挿入される装飾体により自分好みの装身具を完成させる過程、その装身具を身につけて楽しむ過程において、玩具的な要素が含まれる新たな組立装置を提供することができる。
これらの組立装置を用いることにより、装身具を組み立てる場合に、装飾体が詰まり難く、チューブに流入させる装飾体の適量を容易に判断でき、幼児から大人までが装身具を容易に組立てることができる組立方法を提供できる。
【図面の簡単な説明】
【００１７】
【図１】図１は実施例に係る組立装置の斜視図、
【図２】図２は同装置の正面図、
【図３】図３は同装置の側面図、
【図４】図４は同装置の分解斜視図、
【図５】図５は図２のＡ−Ａ線矢視縦断面図、
【図６】図６は図２のＢ−Ｂ線矢視縦断面図、
【図７】図７は図３のＣ−Ｃ線矢視縦断面図、
【図８】図８は別例に係る組立装置の平面図、
【図９】図９は同組立装置の分解斜視図、
【図１０】図１０は同組立装置の分解斜視図、
【図１１】図１１（１）〜同図（５）は、同装置を用いてブレスレットを組み立てる方法を示す説明図、
【図１２】図１２は同組立方法を示す説明図、
【図１３】図１３はブレスレットの構成例図である。
【発明を実施するための形態】
【００１８】
本発明に係る組立装置１は、図１〜図３に示したように、本体１０の上部１１に装飾体としてのビーズＢが投入される投入部２と、前記投入部２に投入されたビーズＢを排出させると共にビーズＢが挿入されるチューブＣを取付ける排出部３を備え、前記ビーズＢに振動を与える振動部４が収容されている。
本体１０の上部１１の側面１２には、前記振動部４を動作させる操作ハンドル５を備え、本体１０の下部１３は把持部１４及スタンド台１５となっている。
前記上部１１と下部１３らなる本体１０は、前記排出部３にチューブＣをセットした際に、そのチューブＣが略鉛直方向に伸びて、ビーズＢがチューブＣ内に順次積み重なるような高さに形成されている。
【００１９】
前記投入部２に投入される装飾体は、チューブＣに挿入できるもので、固体状のもの、液体状のものであってもよく、固体状のものであれば粉状物、ビーズＢ、ガラス玉等である。
本書では、装飾体についてはビーズＢに代表させて説明する。また装身具ついてはブレスレットに代表させて説明するが、ブレスレットに限定されるものではなく、イヤリング等でもよい。
【００２０】
前記投入部２は、図４〜図６に示したように、投入されるビーズＢを一時的に貯留する貯留部２０と前記ビーズＢを前記排出部３に導く筒部２１（図６参照）と前記貯留部２０の開口をカバーする蓋部２２を備える。
【００２１】
前記貯留部２０は、丸い皿状に形成されており、前記筒部２１に向かって傾斜する傾斜面２００（図６参照）、この傾斜面２００の外周を囲む立面２０１及び脚面２０２を設けている。
【００２２】
前記傾斜面２００には、前記筒部２１の開口２１０（図６参照）に収束する螺旋状のガイド壁２３が形成され、貯留部２０に投入されたビーズＢが前記開口２１０に集中することなく、分散され、且つ、整えられるようになっている。
なお、前記傾斜面２００には、前記ガイド壁２３の入口２３０に向けてビーズＢを導く溝２４を形成するようにしてもよい。
【００２３】
前記筒部２１の開口２１０は、前記傾斜面２００の略中心に設けられていると共に、その外周面２１１が、前記本体の上部１１に取付けられている前記排出部３の外筒部３０の内周面３１をスライドできるように形成されている。また、前記立面２０１と本体１０間にはスペースＳが形成されている。よって、後述のように振動部４により投入部２が上下方向に変位可能に配置されている。
【００２４】
前記蓋部２２は、前記貯留部２０に貯留されているビーズＢが前記振動部４の動作により、前記貯留部２０の外に飛び跳ねないようにするものである。
【００２５】
前記投入部２にビーズＢを直接、投入してもよいが、図１に図示のように投入量を計量することができる計量スブーン６を用いてよい。
この計量スブーン６は、計量部６０とこの計量部６０より投入量を少なくすることができる計量部６１を備えている。
例えば、計量部６０の投入量は、チューブＣの所定幅をビーズＢで埋めることができ、計量部６１の投入量は、前記所定幅の１／２をビーズＢで埋めることができるようにしてもよい。
【００２６】
前記排出部３は、前記投入部２の筒部２１をスライド可能に取付ける外筒部３１と、チューブＣの一端を嵌込むことができる先端筒部３２を備えている。
前記先端筒部３２の内周面の内径とチューブＣの外径は、前記先端筒部３２がチューブＣを飲み込むことができるように、略一致して形成されている。また、前記先端筒部３２には、チューブＣの一端の厚み（チューブの外径−内径）と略同一幅のリング状の鍔部３３が形成されている。
よって、前記排出部３にチューブＣを取り付ける場合には、チューブＣの一端を差し込むだけでよく、またチューブＣがビーズＢの流入を妨げないようになっている。
なお、チューブＣの外径が前記先端筒部３２の外径よりも大きい場合には、チューブＣにより前記先端筒部３２を飲み込むようにして取付けることができる。
【００２７】
前記排出部３に取り付けられるチューブＣは、可撓性を備えている材質のものであればよく、透明な材質又は半透明な材質のものでもよい。
【００２８】
前記振動部４は、図４〜図７のように、前記操作ハンドル５から回転力が伝達される駆動歯車群４０と、この駆動歯車群４０により駆動される被動歯車群４１と、この被動歯車群４１からの回転力が伝達されて前記投入部２を変位させる振動歯車群４２からなる。
前記駆動歯車群４０は、前記上部１１の軸受に取付けられている軸４００と、この軸４００に軸着され、且つ、前記操作ハンドル５に固定されている第１の歯車４０１と、第２の歯車４０２からなる。
被動歯車群４１は、前記第１の歯車４０１及び第２の歯車４０２に歯合される第３の歯車４１０とこの第３の歯車４１０と同軸に固定されると共に、第２の歯車４０２に歯合されるラック歯車４１１からなる。
振動歯車群４２は、前記ラック歯車４１１に歯合される歯車４２０と、この歯車４２０を固定すると共に軸受４２１に支持される軸４２２の先端に固定される突起歯車４２３を備えている。
【００２９】
この突起歯車４２３は、ドーナッツ状に形成され、その円環に所定間隔にて外側方向に突出する突起４２４が形成されている。この突起歯車４２３が回転されることにより、突起４２４が前記貯留部２０の脚面２０２に当たって貯留部２０を持ち上げ、脚面２０２が突起４２４と突起４２４間にあるときに、その自重により落下させて、貯留部２０を上下に変位させる運動を伝える。
即ち、前記貯留部２０は、前記突起４２４が当たると持ち上げられ、突起４２４が離れるとその自重により落ちて、前記貯留部２０が上下に往復動する際の振動や、自重により落ちる際に発生する振動がビーズＢに伝達される。
【００３０】
前記操作ハンドル５は、回転体５０と操作ボタン５１からなり、正転及び逆転できるようになっている。
【００３１】
前記把持部１４は、その上部が細く、次第に太くなるように成形され、把持し易く形成されている。
【００３２】
前記スタンド台１５には、本体１０の下部１３を取付ける取付孔１５０及びチューブＣの一端をセットして安定させる切込部１５１が形成されている。
【００３３】
以上の構成を備えた組立装置１の作用効果を纏めると次のようである。
（ａ）  前記投入部２の貯留部２０は、前記突起４２４が当たると持ち上げられ、突起４２４が離れるとその自重により落下し、その貯留部２０が上下方向に変位する。また、自重により投入部２が落ちる際に振動が発生する。これらの変位や振動が貯留部２０、筒部２１、排出部３及びその排出部３に取り付けられているチューブＣに伝達される。そしてこれらの振動が、貯留部２０に貯留されているビーズＢ、筒部２１を介してその排出部３に流入するビーズＢ、排出部３からチューブＣに流入するビーズＢ、に伝達され、チューブＣに積み重ねられているビーズＢにそれぞれ伝達される。
よって、ビーズＢが貯留部２０で詰まることなく、スムースに前記開口２１０に流入し、前記筒部２１から排出部３及びチューブＣを順次流下し、チューブＣに積み重ねられる。
（ｂ）  前記排出部３にチューブＣを取付ける場合には、チューブＣの一端を先端筒部３２に差し込むだけでよい。
（ｃ）  前記スタンド台１５には、チューブＣの一端をセットして安定させる切込部１５１が形成されているので、チューブＣを略鉛直方向に安定化させることができ、ビーズＢがチューブＣに積み重ねられ易くなっている。
（ｄ）  計量スプーン６０を用いることにより、前記貯留部２０への過剰な量のビーズＢの投入を避けることができ、また計量部６０と同６１を使い分けることで、ビーズＢの種類毎チューブＣへの流入量を調節することができ、ビーズＢ毎の模様を構成することができる。
【００３４】
次に、図８〜図１０に基づき、別例に係る組立装置１Ａの構成例を説明する。
この組立装置１Ａが上記組立装置１と相違する主な構成は、投入部２の貯留部２０Ａ及び蓋部２２Ａ並びに駆動部４の駆動歯車４０Ａ、被動歯車４１Ａ及び振動歯車群４２の突起歯車４２３Ａである。
その他の組立装置１Ａの構成は、上記組立装置１の構成と略同一であるので、同一の構成は略同一に図示すると共に、必要に応じて同一の符号を付することとする。
【００３５】
前記蓋部２２Ａは、図８に図示するように、その蓋部２２Ａをセットしたまま貯留部２０Ａを観察できるように透明に形成されており、貯留部２０Ａに貯留されているビーズＢの量、動き等を把握できるようになっている。
前記貯留部２０Ａには、図８に図示するようにガイド壁２３の入口２３０にビーズＢを流入させ易いように、溝２４Ａが複数条に形成されている。
【００３６】
図９及び図１０に図示される前記駆動部４の駆動歯車４０Ａは、前記回転体５０に固着され、その回転体５０の回転力が伝達されるもので、その回転力は被動歯車４１Ａに伝達される。
前記被動歯車４１Ａの外周にはラック歯車が形成され、このラック歯車に振動歯車群４２の歯車４２０が歯合される。
前記突起歯車４２３Ａのドーナッツ状の外周には前記突起歯車４２３よりも数多くの突起４２４が形成され、前記回転体５０を一回転させた場合の１サイクル当たりの投入部２の変位の回数が増加するようになっている。
【００３７】
以上の構成による組立装置１Ａにおいては、上記効果（ａ）〜（ｄ）に加え、次の効果を奏することができる。
（ｅ）    前記蓋部２２Ａは透明に形成されているので、貯留部２０Ａに貯留されているビーズＢの量、動き等を把握できる。
（ｆ）  前記貯留部２０Ａのガイド壁２３の入口２３０に向けて複数条の溝２４Ａが形成されているので、ビーズＢを入口２３０に流入させ易い。
（ｇ）  前記駆動部４の駆動歯車４０Ａ等は、駆動歯車群４０等と比較して、シンプルに構成されている。
（ｈ）  前記歯車４２３Ａの突起４２４により、投入部２の変位の回数を増加させ、ビーズＢを振動させやすいようにしている。
【００３８】
以上のように構成されている組立装置１又は組立装置１Ａを用いて、装身具としてのブレスレットを組立てる方法を図１１に基づいて説明する。
（１）  長尺状のチューブＣをカットする。
ブレスレットを作る場合には、その装着者の手首のサイズに合わせて、チューブＣをカットする。
（２）  チューブＣの一端にストッパーを嵌める
チューブＣの一端Ｃ１からビーズＢがこぼれ落ちないように、カットしたチューブＣの一端Ｃ１にストッパー７を嵌める。
ストッパー７としては、例えばチューブＣの一端Ｃ１の内径に接するビーズでもよい。
【００３９】
（３）  チューブＣの他端Ｃ２を排出部３の先端筒部３２に嵌める。
なお、チューブＣの一端Ｃ１は、前記スタンド台１５の切込部１５１に取付けることで、チューブＣを略鉛直方向にそろえることができる。
また、図１２のように、チューブＣが長い場合には、チューブＣを前記切込部１５１に導き、その切込先端１５２、１５２にて挟むように取り付けてもよい。
【００４０】
次に、蓋部２２を開けてビーズＢを貯留部２０に投入して、操作ハンドル５を回す。
チューブＣの一端Ｃ１から他端Ｃ２までビーズＢを一巡させることができる量のビーズＢを投入してもよいし、チューブＣにビーズＢが積上げられて作られる模様を見ながら、ビーズＢの種類等を選択しつつ、少量ずつ投入してもよい。
また、計量スプーン６を用いてビーズＢを投入してもよく、この場合にもチューブＣにビーズＢが積上げられて作られる模様を見ながら、計量スプーン６の計量部６０又は計量部６１並びにビーズＢの種類等を選択しつつ、投入してもよい。
操作ハンドル５を回すと駆動部３によりビーズＢに振動が伝達され、ビーズＢのツマリが生じることなく、ビーズＢが少しずつチューブＣに入る。
【００４１】
（４）  チューブＣの他端Ｃ２を外してストッパーを嵌める。
ビーズＢがチューブＣを一巡した場合、その他端Ｃ２を前記先端筒部３２から取り外し、チューブＣの他端Ｃ２にストッパー７を嵌める。
（５）  チューブＣの両端Ｃ１、Ｃ２をジョイントで結合させる。
ジョイントとしては、両端Ｃ１、Ｃ２を嵌めこむことができる内径を備えたチューブを用いればよい。
【００４２】
以上のような組立方法により、次のような効果が奏される。
（ｉ）  貯留部２０に投入するビーズＢの種類、色、分量等を選択する過程、それらが振動部４の操作によりチューブＣにスムースに流入する過程、そのチューブＣに挿入されるビーズＢにより自分好みのブレスレットを完成させる過程、そのブレスレットを身につけて楽しむ過程において、玩具的な要素や遊戯的な要素が含まれる新たな組立方法を提供することができる。
（ｊ）  これらの組立装置１を用いてブレスレットを組み立てる場合に、ビーズＢが詰ま
り難く、チューブＣに流入させるビーズＢの適量を容易に判断でき、幼児から大人までが
ブレスレットを容易に組立てることができる組立方法となっている。
【００４３】
前記組立装置１等及びこれを用いた組立方法により作られたブレスレット８を例示すれば図１３のようである。
図１３左に図示するブレスレット８は１輪のもので、同図の右に図示するものは２輪のもので、図１３に示したリング９を用いることで、複数の輪の場合、各輪が「バラケ」ずに安定化させることができる。
【００４４】
本発明は以上説明した実施例に限定されるものではなく、多くの変形が本発明の技術的思想内で当分野において、通常の知識を有する者により可能である。
【符号の説明】
【００４５】
１  １Ａ  組立装置                      １０  本体
１１  上部                              １２  側面
１３  下部                              １４  把持部
１５  スタンド台                        １５０  取付孔
１５１  切込部                          １５２  切込先端
２  投入部                              ２０  ２０Ａ  貯留部
２１  筒部                              ２２  ２２Ａ  蓋部
２３  ガイド壁                          ２４  溝
２００  傾斜面                          ２０１  立面
２０２  脚面
２１０  開口                            ２１１  外周面
２３０  入口
３  排出部
３０  外筒部                            ３１  内周面
３２  先端筒部                          ３３  鍔部
４  振動部                              ４０  駆動歯車群
４０Ａ  駆動歯車
４００  軸                              ４０１  第１の歯車
４０２  第２の歯車
４１  被動歯車群                        ４１０  第３の歯車
４１Ａ  被動歯車
４１１  ラック歯車
４２  ４２Ａ  振動歯車群                ４２０  歯車
４２１  軸受                            ４２２  軸
４２３  ４２３Ａ  突起歯車              ４２４  突起
５  操作ハンドル
５０  回転体                            ５１  操作ボタン
６  計量スプーン                        ６０  計量部
６１  計量部
７  ストッパー
８  ブレスレット
９  リンク
Ｂ  ビーズ
Ｃ  チューブ
Ｓ  スペース
【図１】
0006422818.tif 000002
【図２】
0006422818.tif 000003
【図３】
0006422818.tif 000004
【図４】
0006422818.tif 000005
【図５】
0006422818.tif 000006
【図６】
0006422818.tif 000007
【図７】
0006422818.tif 000008
【図８】
0006422818.tif 000009
【図９】
0006422818.tif 000010
【図１０】
0006422818.tif 000011
【図１１】
0006422818.tif 000012
【図１２】
0006422818.tif 000013
【図１３】
0006422818.tif 000014